(57)【要約】      （修正有）【課題】疾病やその他の理由で正常な性行為ができないカップルのために、膣擬態部を備えた器具を提供する。【解決手段】貞操保護用器具は、膣擬態部１０、膣挿入型フック部２０および両者を結合する結合部材３０より構成されている。結合部材３０は、板状をした可撓性結合材３１の先端に中空円筒状の嵌装部３４が設けられていて、膣擬態部１０を着脱自在に挿入固定することができる。可撓性結合材３１の下端には円筒状をした突起部３３が設けられ、膣挿入型フック部２０の基部に設けられた円筒状の窪み２１に突起部３３を挿入することによって着脱自在に固定される。【選択図】図５
0003158065.tif 000002
【実用新案登録請求の範囲】
【請求項１】
膣擬態部および膣挿入型フック部とよりなり、両者をその基部において互いに結合してなることを特徴とする貞操保護用器具。
【請求項２】
上記膣擬態部および上記膣挿入型フック部をその基部において結合部材を介して結合したことを特徴とする請求項１に記載の貞操保護用器具。
【請求項３】
上記結合部材は可撓性材料で構成し、その一端を上記膣擬態部の基部に固定し、その他端を上記膣挿入型フック部の基部に固定したことを特徴とする請求項２に記載の貞操保護用器具。
【請求項４】
上記膣擬態部の基部と上記結合部材の上端とは着脱自在に結合されていることを特徴とする請求項２に記載の貞操保護用器具。
【請求項５】
上記結合部材の上端に上記膣擬態部を挿入して固定する貫通孔を有する筒状部材を設けたことを特徴とする請求項４に記載の貞操保護用器具。
【請求項６】
上記結合部材の上端に上記膣擬態部を上方から下方に押しつけて固定する押圧部材を設けたことを特徴とする請求項４に記載の貞操保護用器具。
【請求項７】
上記押圧部材には該押圧部材を下方に回動する方向に働く弾性部材を設けたことを特徴とする請求項６に記載の貞操保護用器具。
【請求項８】
上記膣挿入型フック部の基部と上記結合部材の下端とは着脱自在に結合されていることを特徴とする請求項２に記載の貞操保護用器具。
【請求項９】
上記結合部材の下端に上記膣挿入型フック部の基部に設けた凹部に挿入して固定するための突起を設けたことを特徴とする請求項８に記載の貞操保護用器具。
【請求項１０】
上記結合部材の下端に上記膣挿入型フック部の基部に設けた突部を包被して固定するための弾性体からなる袋状固定部を設けたことを特徴とする請求項８に記載の貞操保護用器具。
【考案の詳細な説明】
【技術分野】
【０００１】  本考案は貞操保護用器具に関し、具体的には女性性器に似た外観、質感、機能などを備えた膣擬態部と膣挿入型フック部とをその基部において結合してなる貞操保護用器具に関する。
【背景技術】
【０００２】（公序良俗違反につき不掲載）【０００３】（公序良俗違反につき不掲載）
【先行技術文献】
【特許文献】
【０００４】
【特許文献１】特表２００１−５０７６００号公報
【考案の概要】
【考案が解決しようとする課題】
【０００５】  上記特許文献１の特表２００１−５０７６００号公報には、女性の下半身にサックを取り付けるために、パンテイ状の下着に男性性器を挿入できるサックを取付け、性行為をする器具が提案されている。【０００６】  然し、上記特表２００１−５０７６００号公報記載の器具は女性用のコンドームであって、このサックに男性性器を挿入して正常な性行為を行う場合はサックは膣内に挿入され、保持されるため、運動によって外れたりずれたりする虞はない。仮に、この器具を用いて、膣外において性行為を行おうとしても、サックは下着の穴に連結されているだけなのでサックが十分固定されず、膣外で性行為を行うことは不可能である。【０００７】（公序良俗違反につき不掲載）【０００８】  本考案は、膣擬態部を女性の下半身に安定して固定し、激しい運動によっても外れたり、ずれたりしない貞操保護用器具を提供することを第２の目的とするものである。
【課題を解決するための手段】
【０００９】  本考案の貞操保護用器具は、膣擬態部および膣挿入型フック部とよりなり、両者をその基部において結合部材によって一体的にまたは着脱自在に結合してなることを特徴とする。膣擬態部は女性性器に似た外観と質感を持ち、エラストマー等の材質からなり通常円筒状をしている。膣挿入型フック部は膣内に挿入できる形状をし、シリコン樹脂等より作られ、上記膣擬態部を女性下腹部上に保持するための係止部としての機能を持つ。【００１０】  上記結合部材として硬質ゴムや可撓性プラスチック等の可撓性材料を使用した場合は、膣擬態部と膣挿入型フック部の結合は可撓性となり、両者の取付角度を自由に変更することができる。【００１１】  上記膣擬態部を着脱自在に固定する場合は、上記可撓性結合部材の先端に上記膣擬態部を挿入して固定する貫通孔を有する筒状部材を設けるとよい。【００１２】  他の方法としては、上記結合部材の上端に押圧部材を回動自在に軸着し、この押圧部材の下端に上記膣擬態部を上方から下方に押しつける方向に付勢された弾性部材を取り付ける。弾性部材としては可撓性材料の押圧部材の下端から延伸された板状部材、押圧部材に取り付けられた金属の板バネまたはコイルバネ等を使用することができる。また、押圧部材はスコップ状をして、丸みを帯びたスコップの下面で円筒状をした膣擬態部を上から下に押しつけて固定させる形状とすることが好ましい。【００１３】  膣擬態部を取り付ける場合は、押圧部材のスコップの部分を弾性部材の弾性に抗して上に持ち上げ、膣擬態部を押圧部材のスコップの部分の下に挿入すれば膣擬態部は膣挿入型フック部方向に押しつけられて固定される。
このスコップ状の押圧部材は剛性のプラスチック材料で作られるが、表面に露出しているので、体に当たると痛いので、その表面全体をエラストマー等の軟質合成樹脂材料で被覆するのが望ましい。【００１４】  結合部材と膣挿入型フック部との結合は直接、接着剤等を用いる接合方法によって固着してもよいが、着脱自在に結合した方が便利である。そのためには、結合部材の下端に円筒状の突起部を設け、それを膣挿入型フック部の基部に設けられた円筒状の穴に挿入して固定する構造とすればよい。【００１５】  他の方法としては、結合部材の下端を弾性ゴム等の伸縮自在の弾性材料よりなる袋状固定部として構成し、膣挿入型フック部の基部をこの袋状固定部に挿入して接続することもできる。この場合、膣挿入型フック部の抜け落ちを防止するために、膣挿入型フック部の基部に突起を設けるとよい。
【考案の効果】
【００１６】  本考案の貞操保護用器具は、膣擬態部および膣挿入型フック部とよりなり、両者をその基部において結合部材によって一体的にまたは着脱自在に結合してなることを特徴とするので、使用に際し膣挿入型フック部は膣内に挿入して膣擬態部を女性下腹部上に保持するための係止部として機能させることにより、簡単に装着でき、しかも運動によって膣擬態部が脱落するのを防止することができる。
【図面の簡単な説明】
【００１７】
【図１】  本考案の貞操保護用器具の正面図。
【図２】  （イ）は図１の膣擬態部の正面図、（ロ）はその右側面図。
【図３】  （イ）は図１の膣挿入型フック部の正面図、（ロ）はその右側面図。
【図４】  （イ）は図１の結合部材の斜面図、（ロ）はその右側面図。
【図５】  本考案の他の実施例の貞操保護用器具の正面図。
【図６】  図５における結合部材の斜面図。
【図７】  本考案の他の実施例の貞操保護用器具の正面図。
【図８】  図７における膣挿入型フック部と結合部材との結合関係を示す断面図。
【図９】  図７の右側面図（膣擬態部１０とクッション４３とは取り外してある）。
【図１０】  本考案の他の実施例の貞操保護用器具の正面図。
【図１１】  （イ）は図１０における結合部材の斜面図、（ロ）はその左側面図。
【図１２】  本考案の貞操保護用器具の使用状態を示す説明図。
【考案を実施するための形態】
【００１８】  本考案の最良の実施形態を次の実施例によって説明する。
【実施例１】
【００１９】  この実施例の貞操保護用器具１は、図１に示すように、膣擬態部１０および膣挿入型フック部２０を結合部材３０によって一体的に固定したものである。
膣擬態部１０は図２に示すように女性性器に似た外観と質感を持ち、エラストマー等の材質からなり円筒状をしている。１１は男根挿入用の穴である。膣挿入型フック部２０は図３に示すように膣内に挿入できる形状をし、シリコン樹脂等より作られている。２１は円筒状の窪みである。【００２０】  結合部材３０は図４に示すように、板状をした可撓性結合材３１の先端に膣擬態部２０を固定するための樋状の保持部３２が設けられている。この保持部３２は膣擬態部２０の側面に接着剤で接合され両者は一体的に固定される。可撓性結合材３１の下端には円筒状の突起部３３が設けられ、膣挿入型フック部２０の基部に設けられた円筒状の窪み２１に挿入されて固定される。膣挿入型フック部２０と突起部３３とは着脱自在に挿入した状態にしておいてもよく、また両者を接着剤等で固着してもよい。
【実施例２】
【００２１】  図５は他の実施例の貞操保護用器具を示すもので、膣擬態部１０および膣挿入型フック部２０を結合する結合部材３０は、図６に示すように板状をした可撓性結合材３１の先端に貫通孔を有する円筒状の嵌装部３４が設けられている。膣擬態部１０の基部には嵌装部３４に相当する部分が細くなった段差部１２が設けられている。従って、嵌装部３４に膣擬態部１０を挿入した場合、嵌装部３４はこの細くなった段差部１２に嵌め込まれ膣擬態部１０が抜けて脱落するのを防止する。３３は円筒状をした突起部で、実施例１の場合と同様に膣挿入型フック部２０の基部に設けられた円筒状の窪み２１に着脱自在にまたは一体的に挿入固定することができる。
【実施例３】
【００２２】  図７は他の実施例の貞操保護用器具を示すもので、膣擬態部１０および膣挿入型フック部２０を結合する結合部材３０は硬質プラスチック製の舌状をした結合材３１とその上端に結合材３１に回動自在に軸止されたスコップ状をした押圧部材３５より構成されている。結合材３１の上端には押圧部材３５の回転軸４２を貫通させる貫通穴３７（図８）が設けられている。図９に示すように、押圧部材３５の両袖は下方に延伸されて板バネ３９、３９を構成する。そのために押圧部材３５の材質は弾性を持った硬質プラスチックを選定すべきである。また、結合材３１の上端面４０は凹状に切り取られ、膣擬態部１０をスコップ状の押圧部材３５の内面に挿入しやすくしてある。【００２３】  上記のプラスチック製の板バネに代え金属製の板バネ、コイルバネを使用することもできる。また、結合材３１と押圧部材３５の先端とを弾性ゴムによって結び、押圧部材３５が常に下方向に回動するように張力を与えても良い。【００２４】  図８に示すように、結合材３１はその側面に突出して設けられた円筒状の突起部３３を有し、シリコンゴム等の弾性体から形成された中空サック状をした膣挿入型フック部２０の基部開放端をこの突起部３３に被せることにより両者を結合することができる。図中４１は突起部３３の円周上に設けられた筋状突起で、膣挿入型フック部２０が抜け落ちるのを防止するためのものである。【００２５】  図中４３は合成ゴム等の弾性体から構成された傘状のクッションで、内部中心から伸びる柄４４によって支えられている。柄４４は結合材３１および突起部３３を貫通して設けられた挿通孔３８を貫通して取り付けられ、柄４４に螺合されたナット４５によってクッション４３が抜け落ちるのを防止している。
【実施例４】
【００２６】  図１０は他の実施例の貞操保護用器具を示すもので、膣擬態部１０および膣挿入型フック部２０は結合部材３０で結合されている。図１１に示されるように、結合部材３０は弾性を持つ軟質プラスチックまたは合成ゴム製で、結合材３１を介して上端に中空円筒状の嵌装部３４が設けられ、下端に袋状固定部５０が設けられている。袋状固定部５０は、入口５２が小さく内部が大きな袋状をした空洞部５１を有する。膣擬態部１０は中空円筒状をした嵌装部３４に嵌込み、膣挿入型フック部２０はその基部に袋状固定部５０を引き延ばして被せて固定する。膣挿入型フック部２０の脱落を防止するためにその基部には下方に突出する突起２３を設けるのが望ましい。【００２７】  本考案の貞操保護用器具１を使用するには、図１２に示すように膣挿入型フック部２０を膣に挿入し、膣擬態部１０を女性の下腹の上に載せる。この状態で紐６０で下半身に固定する。場合によってはタイトな孔開きのパンテイを穿いて貞操保護用器具１を上から締め付けて固定しても良い。
【産業上の利用可能性】
【００２８】  疾病やその他の理由で正常な性行為ができないカップルの場合に、膣擬態部を備えた貞操保護用器具によって性行為を行い、円満な夫婦生活を継続できるように活用することもできる。
【符号の説明】
【００２９】  １  貞操保護用器具
１０  膣擬態部
２０  膣挿入型フック部
３０  結合部材
【図１】
0003158065.tif 000003
【図２】
0003158065.tif 000004
【図３】
0003158065.tif 000005
【図４】
0003158065.tif 000006
【図５】
0003158065.tif 000007
【図６】
0003158065.tif 000008
【図７】
0003158065.tif 000009
【図８】
0003158065.tif 000010
【図９】
0003158065.tif 000011
【図１０】
0003158065.tif 000012
【図１１】
0003158065.tif 000013
【図１２】
0003158065.tif 000014
【手続補正書】
【提出日】平成21年10月1日(2009.10.1)
【手続補正１】
【補正対象書類名】明細書
【補正対象項目名】０００２
【補正方法】変更
【補正の内容】
【０００２】疾病やその他の理由で正常な性行為ができないカップルの場合に、膣擬態部を備えた器具によって性行為を行い、円満な夫婦生活を維持しようとする試みが行われている。
【手続補正２】
【補正対象書類名】明細書
【補正対象項目名】０００３
【補正方法】変更
【補正の内容】
【０００３】  ところが、膣擬態部を女性の下半身に取り付けるためには色々の困難性を伴う。例えば、膣擬態部を紐等で下半身に固定しても、激しい運動によって、すぐ外れてしまうという欠点がある。
【手続補正３】
【補正対象書類名】明細書
【補正対象項目名】０００６
【補正方法】変更
【補正の内容】
【０００６】  然し、上記特表２００１−５０７６００号公報記載の器具は女性用のコンドームであって、このサックに男性性器を挿入して正常な性行為を行う場合サックは膣内に挿入され、保持されるため、運動によって外れたりずれたりする虞はない。
【手続補正４】
【補正対象書類名】明細書
【補正対象項目名】０００７
【補正方法】変更
【補正の内容】
【０００７】仮に、この器具を用いて、膣外において性行為を行おうとしても、サックは下着の穴に連結されているだけなのでサックが十分固定されず、膣外で性行為を行うことは不可能である。
【手続補正５】
【補正対象書類名】明細書
【補正対象項目名】０００８
【補正方法】変更
【補正の内容】
【０００８】  本考案は、膣擬態部を女性の下半身に安定して固定し、激しい運動によっても外れたり、ずれたりしない貞操保護用器具を提供することを目的とするものである。
【手続補正６】
【補正対象書類名】明細書
【補正対象項目名】００２８
【補正方法】変更
【補正の内容】
【００２８】この貞操保護用器具は妊娠中の性行為に使用することもできる。